(57)【特許請求の範囲】
【請求項１】
幅方向と前後方向を有し、トップシートとバックシートとこれらの間に設けられた吸収性コアを有する吸収性物品であって、
前記吸収性コアには、幅方向の中央部に、前後方向に延びる開口または凹部が形成され、
吸収性物品には、前記開口または凹部の幅方向の両側の外縁に沿って、前記吸収性コアと重なって前後方向に延びる中央弾性部材と、少なくとも一部が前記吸収性コアの幅方向の外縁よりも外方に位置するように設けられた側方弾性部材が設けられ、
前記側方弾性部材は、前記中央弾性部材よりも強い収縮力で設けられていることを特徴とする吸収性物品。
【請求項２】
前記中央弾性部材は、前記開口または凹部の幅方向の外縁から２０ｍｍ以内の領域に設けられている請求項１に記載の吸収性物品。
【請求項３】
前記中央弾性部材は、前記吸収性コアよりも肌面側に設けられている請求項１または２に記載の吸収性物品。
【請求項４】
前記中央弾性部材は、前記開口または凹部の前側端よりも前方に延在している、および／または、前記開口または凹部の後側端よりも後方に延在している請求項１〜３のいずれか一項に記載の吸収性物品。
【請求項５】
前記吸収性コアは、前後方向に前方部と後方部とこれらの間の中間部を有し、前方部と後方部が中間部よりも幅広に形成され、
前記側方弾性部材は、前記吸収性コアの前方部と後方部と重なり、前記吸収性コアの中間部と重ならないように設けられている請求項１〜４のいずれか一項に記載の吸収性物品。
【請求項６】
前記側方弾性部材は、前記中央弾性部材よりも前後方向に短い長さで設けられている請求項１〜５のいずれか一項に記載の吸収性物品。
【請求項７】
前記トップシートの幅方向の両側に立ち上がりフラップが設けられ、
前記側方弾性部材の全体が、前記立ち上がりフラップの立ち上がりの起点となる基部よりも幅方向の内方に設けられ、かつ前記基部よりも前記吸収性コアの近くに設けられている請求項１〜６のいずれか一項に記載の吸収性物品。
【発明の詳細な説明】
【技術分野】
【０００１】
本発明は、使い捨ておむつ、尿パッド（失禁パッドを含む）、生理用ナプキン等の吸収性物品に関するものである。
【背景技術】
【０００２】
従来、開口や凹部が形成された吸収性コアを有する吸収性物品が知られている（例えば、特許文献１〜４）。
【先行技術文献】
【特許文献】
【０００３】
【特許文献１】実開昭６３−０９３９２１号公報
【特許文献２】特開２００３−２１０５０７号公報
【特許文献３】特開２００４−０４１３１１号公報
【特許文献４】特開２００７−２０２５７５号公報
【発明の概要】
【発明が解決しようとする課題】
【０００４】
吸収性コアに開口または凹部を設けた場合、開口または凹部が尿等の拡散路として機能し、尿等の前後方向への拡散性を高めることができる。また、吸収性物品を着用の際に、吸収性コアが着用者の股間において幅方向断面で窪んだ形状に形成されやすくなり、着用者から排泄された尿等を好適に受けやすくなる。しかし、吸収性コアに開口または凹部が形成されていると、着用者から排泄された尿等が開口または凹部に集まる結果、開口または凹部の周辺で尿等が特に吸収され、吸収した尿等の重さによって下方に大きく窪みやすくなる。そのため、吸収性コアは、尿等を吸収するにつれて拡散性が低下し、吸収性能が低下することとなる。
【０００５】
本発明は前記事情に鑑みてなされたものであり、その目的は、着用者からの尿等を繰り返し受けても、尿等の拡散性が確保され、吸収性能を高く維持することができる吸収性物品を提供することにある。
【課題を解決するための手段】
【０００６】
前記課題を解決することができた本発明の吸収性物品とは、幅方向と前後方向を有し、トップシートとバックシートとこれらの間に設けられた吸収性コアを有する吸収性物品であって、吸収性コアには、幅方向の中央部に、前後方向に延びる開口または凹部が形成され、吸収性物品には、開口または凹部の幅方向の両側の外縁に沿って、吸収性コアと重なって前後方向に延びる中央弾性部材が設けられているところに特徴を有する。本発明の吸収性物品は、吸収性コアの幅方向の中央部に前後方向に延びる開口または凹部が形成されているため、吸収性物品を着用の際、着用者の股間で幅方向に窪んだ形状に形成され、着用者から排泄された尿等を好適に受けることができる。そして、開口または凹部の幅方向の両側の外縁に沿って、吸収性コアと重なって前後方向に延びる中央弾性部材が設けられることにより、吸収性コアに尿等が吸収されても、吸収性コアが着用者の股間で大きく窪みにくくなり、尿等の拡散性を確保することができる。そのため、着用者からの尿等を吸収性物品が繰り返し受けても、吸収性能を高く維持することが可能となる。
【０００７】
中央弾性部材は、開口または凹部の幅方向の外縁から２０ｍｍ以内の領域に設けられていることが好ましい。吸収性コアは、開口または凹部の周辺で尿等が特に吸収されることから、中央弾性部材を開口または凹部の幅方向の外縁近傍に設けることにより、吸収性コアが幅方向断面で大きく窪みにくくなる。
【０００８】
中央弾性部材は、吸収性コアよりも肌面側に設けられていることが好ましい。このように中央弾性部材を設けることにより、中央弾性部材によって開口または凹部の幅方向の外縁が明確に形成されやすくなり、開口または凹部の拡散路としての機能を高めることができる。その結果、尿等の前後方向への拡散性を高めることができる。
【０００９】
中央弾性部材は、開口または凹部の前側端よりも前方に延在している、および／または、開口または凹部の後側端よりも後方に延在していることが好ましい。このように中央弾性部材が設けられれば、開口または凹部で尿等が前後方向により拡散しやすくなる。また、吸収性コアが、前後方向の広範囲にわたって開口または凹部で大きく窪みにくくなり、尿等の幅方向への拡散性も確保されやすくなる。
【００１０】
吸収性物品は、少なくとも一部が吸収性コアの幅方向の外縁よりも外方に位置するように設けられた側方弾性部材をさらに有することが好ましい。側方弾性部材を設けることにより、吸収性物品を着用の際、吸収性コアの幅方向の両端部が着用者の肌に当たりやすくなり、尿等の横漏れを防ぎやすくなる。
【００１１】
吸収性コアは、前後方向に前方部と後方部とこれらの間の中間部を有し、前方部と後方部が中間部よりも幅広に形成され、側方弾性部材は、吸収性コアの前方部と後方部と重なり、吸収性コアの中間部と重ならないように設けられることが好ましい。このように側方弾性部材を設けることにより、吸収性コアの前方部と後方部が近付くように形成され、吸収性コアの着用者の股間へのフィット性を高めることができる。
【００１２】
側方弾性部材は、中央弾性部材よりも強い収縮力で設けられていることが好ましい。このように側方弾性部材と中央弾性部材が設けられれば、吸収性物品を着用した際、吸収性コアが、幅方向の中央部よりも両端部が着用者の肌の近くに配され、あるいは、幅方向の中央部よりも両端部が着用者の肌に強く当てられ、着用者からの尿等を好適に受けやすくなるとともに、尿等の横漏れが起こりにくくなる。
【００１３】
側方弾性部材は、中央弾性部材よりも前後方向に短い長さで設けられていることが好ましい。このように側方弾性部材が設けられれば、吸収性コアの前方部と後方部で幅方向の両端部が歪みにくくなる。そのため、吸収性物品を着用の際に、吸収性コアを着用者の腹部や背部にフラットな状態で当てやすくなり、尿等の腹部や背部からの漏れを防止しやすくなる。
【００１４】
吸収性物品は、トップシートの幅方向の両側に立ち上がりフラップが設けられ、側方弾性部材は、立ち上がりフラップの立ち上がりの起点となる基部よりも幅方向の内方に設けられ、かつ基部よりも吸収性コアの近くに設けられることが好ましい。このように側方弾性部材が設けられれば、立ち上がりフラップの立ち上がりが側方弾性部材によって邪魔されにくくなり、立ち上がりフラップが着用者の肌に向かって真っ直ぐ立ち上がりやすくなる。そのため、側方弾性部材の収縮力によって吸収性コアの幅方向の両端部が着用者の肌に当たりやすくなることと相まって、尿等の横漏れ防止効果がさらに高まる。
【発明の効果】
【００１５】
本発明の吸収性物品は、吸収性コアの幅方向の中央部に前後方向に延びる開口または凹部が形成されているため、吸収性物品を着用の際、着用者の股間で幅方向に窪んだ形状に形成され、着用者から排泄された尿等を好適に受けることができる。そして、開口または凹部の幅方向の両側の外縁に沿って、吸収性コアと重なって前後方向に延びる中央弾性部材が設けられることにより、吸収性コアに尿等が吸収されても、吸収性コアが着用者の股間で大きく窪みにくくなり、尿等の拡散性を確保することができる。そのため、着用者からの尿等を吸収性物品が繰り返し受けても、吸収性能を高く維持することができる。
【図面の簡単な説明】
【００１６】
【図１】本発明の吸収性物品の一例を表し、吸収性物品を肌面側から見た平面図を表す。
【図２】図１に示した吸収性物品のＩＩ−ＩＩ断面図を表す。
【図３】本発明の吸収性物品の他の例を表し、吸収性物品を肌面側から見た平面図を表す。
【図４】図３に示した吸収性物品のＩＶ−ＩＶ断面図を表す。
【発明を実施するための形態】
【００１７】
本発明の吸収性物品は、トップシートとバックシートとこれらの間に設けられた吸収性コアとを有し、幅方向と前後方向を有する。本発明の吸収性物品の態様としては、使い捨ておむつや尿パッド（失禁パッドを含む）、生理用品等が示される。
【００１８】
本発明において、吸収性物品の前後方向とは、吸収性物品を着用者が着用した際、着用者の股間の前後方向に延びる方向を意味する。吸収性物品の幅方向とは、吸収性物品と同一面上にあり、前後方向と直交する方向を意味する。また、本発明において、吸収性物品の肌面側とは、吸収性物品を着用した際に着用者の肌に向く側を意味し、吸収性物品の外面側とは、吸収性物品を着用した際の着用者とは反対側を意味する。
【００１９】
吸収性物品の形状は特に限定されない。吸収性物品が尿パッドである場合、吸収性物品の形状としては、略長方形、砂時計形、ひょうたん形等が示される。
【００２０】
吸収性物品が使い捨ておむつである場合、吸収性物品は、例えば、前側部と後側部とこれらの間に位置し吸収性コアが備えられた股部とから構成される。使い捨ておむつとしては、例えば、前側部と後側部とこれらの間に位置する股部とからなる外装部材の肌面側に、トップシートとバックシートの間に吸収性コアが配された吸収性本体が設けられてもよい。このとき、吸収性本体の形状としては略長方形等が示される。使い捨ておむつとしてはまた、トップシートとバックシートの間に吸収性コアが配された積層体が、前側部と後側部とこれらの間に位置する股部とを形成してもよい。なお、前側部は、使い捨ておむつを着用の際に着用者の腹側に当てる部分に相当し、後側部は、使い捨ておむつを着用の際に着用者の背側に当てる部分に相当する。股部は、前側部と後側部との間に位置し、着用者の股間に当てる部分に相当する。
【００２１】
吸収性物品が使い捨ておむつである場合、使い捨ておむつは、後側部の左右側端に止着部材が設けられ、当該止着部材により着用時にパンツ形状に形成するオープンタイプ（テープタイプ）の使い捨ておむつであったり、ウェスト開口部と一対の脚開口部とが形成されたパンツタイプの使い捨ておむつであってもよい。
【００２２】
トップシートは、吸収性コアよりも肌面側に設けられるシートであり、液透過性であることが好ましい。トップシートは、吸収性物品を着用の際に、着用者に面するように設けられることが好ましい。トップシートとしては、例えば、セルロース、レーヨン、コットン等の親水性繊維から形成された不織布や、ポリオレフィン（例えば、ポリプロピレン、ポリエチレン）、ポリエステル（例えば、ＰＥＴ）、ポリアミド（例えば、ナイロン）等の疎水性繊維から形成された不織布であって、疎水性繊維の表面が界面活性剤により親水化されたもの等を用いることができる。また、トップシートとして、織布、編布、有孔プラスチックフィルム等を用いてもよい。
【００２３】
バックシートは、吸収性コアよりも外面側に設けられるシートであり、液不透過性であることが好ましい。バックシートとしては、ポリオレフィン（例えば、ポリプロピレン、ポリエチレン）、ポリエステル（例えば、ＰＥＴ）、ポリアミド（例えば、ナイロン）等の疎水性繊維から形成された不織布や、プラスチックフィルム等を用いることができる。また、不織布とプラスチックフィルムとの積層体を用いてもよい。本発明において、液不透過性には撥水性の意味も含まれる。
【００２４】
外装部材は、液透過性であっても液不透過性であってもよく、トップシートやバックシートに使用可能なシート材料を用いることができる。外装部材は、内側シートに外側シートが積層されて形成されることが好ましく、親水性の内側シートに液不透過性の外側シートが積層されて形成されることがより好ましい。
【００２５】
上記説明した各シート材料として不織布を用いる場合、不織布としては、スパンボンド不織布、エアスルー不織布、ポイントボンド不織布、メルトブロー不織布、エアレイド不織布、ＳＭＳ不織布等を用いることが好ましい。
【００２６】
吸収性コアは、尿等の排泄物を吸収できる吸収性材料を含むものであれば特に限定されない。吸収性コアとしては、例えば、吸収性材料を所定形状に成形した成形体を用いることができる。吸収性コアは、紙シート（例えば、ティッシュペーパーや薄葉紙）や液透過性不織布等のシート部材で覆われてもよい。吸収性コアに含まれる吸収性材料としては、例えば、セルロース繊維（例えば、粉砕したパルプ繊維）等の親水性繊維や、ポリアクリル酸系、ポリアスパラギン酸系、セルロース系、デンプン・アクリロニトリル系等の吸水性樹脂等が挙げられる。また、吸収性材料には、ポリオレフィン繊維（例えば、ポリエチレン繊維、ポリプロピレン繊維等）や、ポリエステル繊維（例えば、ＰＥＴ繊維）、ポリアミド繊維（例えば、ナイロン繊維）等の熱融着性繊維が含まれてもよい。これらの熱融着性繊維は、尿等との親和性を高めるために、界面活性剤等により親水化処理がされていてもよい。
【００２７】
吸収性材料は、尿等の吸収速度を高め、吸収性コアの保形性を高める点から、少なくとも親水性繊維を含むことが好ましく、パルプ繊維を含むことがより好ましい。また、吸収容量を高める点から、吸収性材料は吸水性樹脂を含むことが好ましい。より好ましくは、吸収性コアは、吸収性材料として親水性繊維と吸水性樹脂を含有する。この場合、例えば、親水性繊維の集合体に吸水性樹脂を混合または散布したものを用いることが好ましい。
【００２８】
吸収性コアの形状（平面形状）は特に限定されない。吸収性コアの形状は、用途に応じて適宜決定すればよく、例えば、略長方形、砂時計形、ひょうたん形、羽子板形等が挙げられる。
【００２９】
吸収性コアは複数の層が積層して形成されてもよい。例えば、吸収性コアは、トップシート側に設けられた上側吸収層とバックシート側に設けられた下側吸収層を有していてもよい。上側吸収層と下側吸収層は、上記の吸収性コアに関する説明と同様に、吸収性材料を含むものであれば特に限定されず、それらの形状（平面形状）も特に限定されない。
【００３０】
吸収性コアには、幅方向の中央部に、前後方向に延びる開口または凹部が形成されている。具体的には、開口または凹部は、吸収性コアの幅方向の中心線を含み、当該中心線に沿って前後方向に延びるように形成されている。なお、前後方向に延びる開口または凹部とは、幅方向よりも前後方向に長い形状を有する開口または凹部を意味する。このように吸収性コアに開口または凹部が形成されていれば、吸収性コアが幅方向断面で窪んだ形状に形成されて、着用者から排泄された尿等を好適に受けやすくなる。また、吸収性コアの開口または凹部は、尿等の拡散路として機能して、尿等が開口または凹部に沿って前後方向に拡散しやすくなる。その結果、尿等が吸収性コアに速やかに吸収されるとともに、吸収性コアが広範囲にわたって尿等の吸収に寄与しやすくなる。
【００３１】
開口は、吸収性コアを厚み方向に貫通して設けられる。凹部は、例えば、吸収性コアの部分的に圧縮されることにより形成されたり、吸収性コアの目付が部分的に減らされることにより形成される。この場合、吸収性コアの圧縮された部分や、目付が減らされた部分が、凹部として形成される。なお、吸収性コアの凹部は、吸収性コアの目付が部分的に減らされることにより形成されることが好ましく、これにより吸収性コアを凹部で窪んだ形状に形成しやすくなる。この場合、凹部は、目付けが、凹部以外の部分よりも６０質量％以下（より好ましくは５０質量％以下であり、さらに好ましくは４０質量％以下である）となるように形成されることが好ましい。
【００３２】
吸収性コアに凹部が形成される場合、凹部は吸収性コアのトップシート側の表面に形成されても、バックシート側の表面に形成されてもよい。吸収性コアが上側吸収層と下側吸収層から構成される場合は、上側吸収層に開口が形成され、当該開口を覆うように下側吸収層が設けられることにより、吸収性コアに凹部が形成されてもよく、逆に下側吸収層に開口が形成され、当該開口を覆うように上側吸収層が設けられることにより、吸収性コアに凹部が形成されてもよい。好ましくは、凹部は吸収性コアのトップシート側の表面に形成される。
【００３３】
開口または凹部は、後述するように、トップシートの幅方向の両側に立ち上がりフラップが設けられる場合、当該立ち上がりフラップの基部（立ち上がりの起点となる部分）よりも幅方向の内方に設けられることが好ましい。また、開口または凹部は、立ち上がりフラップの基部と重ならないように設けられることが好ましい。
【００３４】
吸収性コアには、開口または凹部が１つのみ設けられてもよく、２つ以上設けられてもよいが、好ましくは、開口または凹部は吸収性コアに１つのみ設けられる。すなわち、吸収性コアには開口または凹部が１つのみ設けられ、当該開口または凹部は、幅方向の中央部に前後方向に延びるように設けられることが好ましい。このように吸収性コアを形成することより、吸収性物品を着用した状態で、吸収性コアが幅方向断面で窪んだ形状に形成されやすくなる。その結果、着用者から排泄された尿等を好適に受けて、尿等の前後方向への拡散性を高めることができる。
【００３５】
開口または凹部は、幅方向の長さが、吸収性コアの最も幅狭な部分の幅方向の長さの５％以上となることが好ましく、８％以上がより好ましく、１０％以上がさらに好ましく、また３０％以下が好ましく、２５％以下がより好ましく、２０％以下がさらに好ましい。なお、吸収性コアの最も幅狭な部分とは、吸収性コアを前後方向に前方部と後方部とこれらの間の中間部とに３分割した場合に、中間部において幅方向に最も狭く形成された部分を意味する。吸収性コアが略長方形である場合は、吸収性コアは前後方向の全てが最も幅狭な部分となる。このように開口または凹部が設けられれば、吸収性コアの吸収容量を確保しつつ、尿等の前後方向への拡散性を高めることができる。開口または凹部の幅はまた、５ｍｍ以上が好ましく、８ｍｍ以上がより好ましく、また３５ｍｍ以下が好ましく、２５ｍｍ以下がより好ましい。
【００３６】
開口または凹部は、前後方向の長さが、吸収性コアの前後方向の長さの４０％以上となることが好ましく、５０％以上がより好ましく、６０％以上がさらに好ましく、また９０％以下が好ましく、８５％以下がより好ましく、８０％以下がさらに好ましい。なお、開口または凹部の前側端は吸収性コアの前側端よりも後方に位置し、開口または凹部の後側端は吸収性コアの後側端よりも前方に位置していることが好ましい。このように開口または凹部が設けられれば、尿等の前後方向への拡散性を高めることができるとともに、開口または凹部を前後方向に拡散した尿等が、吸収性コアの前後端を越えて溢れ出しにくくなる。
【００３７】
開口または凹部は、吸収性コアの前後方向に対する相対位置として前側端を０％とし後側端を１００％としたとき、開口または凹部の前側端が５％〜３０％の領域にあり、開口または凹部の後側端が７０％〜９５％の領域にあることが好ましい。なお、上記に説明した長さや相対位置は、吸収性物品に設けられる弾性部材を完全に伸張させた状態（すなわち、弾性部材を除去した状態あるいは弾性部材を細かく切断して弾性部材の収縮力が発現しない状態）で測定する。後記するその他の様々な長さや位置に関しても、同様の条件で測定した値を用いる。
【００３８】
吸収性コアが砂時計形状に形成される場合は、開口または凹部は、少なくとも砂時計形状のくびれ部に設けられることが好ましい。すなわち、吸収性コアは前後方向に前方部と後方部とこれらの間の中間部を有し、吸収性コアの前方部と後方部が中間部よりも幅広に形成され、開口または凹部が少なくとも中間部に設けられることが好ましい。開口または凹部は、さらに前方部および／または後方部に延在していてもよい。
【００３９】
ところで、上記のように吸収性コアに開口または凹部を設けた場合、吸収性コアが幅方向断面で窪んだ形状に形成されることにより、着用者から排泄された尿等は、着用者の股間において、吸収性コアの特に幅方向の中央部付近に集まりやすくなる。その結果、吸収性コアは、着用者の股間において、幅方向の中央部が、吸収した尿等の重さによって下方に大きく窪みやすくなる。そのため、吸収性コアは、尿等を吸収するにつれて、幅方向への拡散性が低下することとなる。またその結果、吸収性コアは着用者の股間で椀状に窪みやすくなり、前後方向への拡散性も低下する。
【００４０】
そこで、本発明の吸収性物品では、開口または凹部の幅方向の両側の外縁に沿って、吸収性コアと重なって前後方向に延びる弾性部材を設けている。なお本発明において、当該弾性部材を「中央弾性部材」と称する。吸収性物品に中央弾性部材を設けることにより、吸収性コアが尿等を吸収しても、吸収性コアの幅方向の中央部が着用者の股間で大きく窪みにくくなり、吸収性コアにおける尿等の拡散性を確保することができる。そのため、吸収性物品が着用者から尿等を繰り返し受けても、吸収性コアの吸収性能を高く維持することができる。また、中央弾性部材を開口または凹部に設けるのではなく、開口または凹部の幅方向の両側の外縁に沿って、吸収性コアと重なるように設けることにより、開口または凹部の拡散路としての機能が維持され、尿等の前後方向への拡散性も確保される。
【００４１】
中央弾性部材は、開口または凹部の幅方向の外縁近傍に設けられることが好ましい。具体的には、中央弾性部材は、開口または凹部の幅方向の外縁から２０ｍｍ以内の領域に設けられることが好ましく、１５ｍｍ以内の領域に設けられることがより好ましく、１０ｍｍ以内の領域に設けられることがさらに好ましい。吸収性コアは、開口または凹部の周辺で尿等が特に吸収されることから、中央弾性部材を開口または凹部の幅方向の外縁近傍に設けることにより、吸収性コアが幅方向断面で大きく窪みにくくなる。なお中央弾性部材は、前後方向に対しては、吸収性コアの前後方向に対する相対位置として前側端を０％とし後側端を１００％としたときに、少なくとも４０％〜６０％の領域に設けられることが好ましい。
【００４２】
中央弾性部材は、吸収性物品を平面視した状態で、開口または凹部の幅方向の両側の外縁に沿って、吸収性コアと重なって前後方向に延びるように設けられる限り、吸収性物品の厚み方向に対する位置は特に限定されない。中央弾性部材は、吸収性コアよりも肌面側に設けられてもよく、吸収性コアよりも外面側に設けられてもよく、吸収性コアの中（例えば、上側吸収層と下側吸収層の間）に設けられてもよい。中央弾性部材は、吸収性コアに取り付けられてもよく、吸収性コア以外の部材（例えば、トップシートやバックシート）に取り付けられてもよい。中央弾性部材は、接着剤等の公知の接合手段により取り付けられればよい。なお、中央弾性部材が吸収性コア以外の部材に取り付けられる場合は、中央弾性部材は吸収性コアと重なって、吸収性コアに間接的に固定されることが好ましい。
【００４３】
中央弾性部材は吸収性コアよりも肌面側に設けられることが好ましい。このように中央弾性部材を設けることにより、中央弾性部材によって開口または凹部の幅方向の外縁が明確に形成されやすくなり、開口または凹部の拡散路としての機能を高めることができる。その結果、尿等の前後方向への拡散性を高めることができる。この場合、中央弾性部材は、吸収性コアよりも肌面側に設けられたシート部材（例えば、トップシートや、トップシートと吸収性コアの間に設けられる任意のシート部材、トップシートよりも肌面側に設けられる任意のシート部材等）に取り付けられることが好ましい。
【００４４】
中央弾性部材の本数は特に限定されないが、あまり多くの本数を設けると、吸収性コアに皺が多数形成されて、吸収性物品の着用感が低下するおそれがある。従って、中央弾性部材は、開口または凹部の幅方向の一方側と他方側にそれぞれ３本以下設けることが好ましく、２本以下がより好ましい。また、中央弾性部材は全て、吸収性コアの幅方向の外縁よりも開口または凹部の幅方向の外縁の近くに位置するように設けられることが好ましく、より好ましくは、吸収性コアの幅方向の外縁と開口または凹部の外縁の間を幅方向に３等分したときに、開口または凹部に近い側の１／３の領域に設けられる。
【００４５】
中央弾性部材は、開口または凹部の前側端よりも前方に延在する、および／または、開口または凹部の後側端よりも後方に延在するように設けられることが好ましい。より好ましくは、中央弾性部材は、開口または凹部の前側端よりも前方に延在するとともに、開口または凹部の後側端よりも後方に延在するように設けられる。このように中央弾性部材を設けることにより、開口または凹部で尿等が前後方向により拡散しやすくなる。また、吸収性コアが前後方向の広範囲にわたって開口または凹部で大きく窪みにくくなり、尿等の幅方向への拡散性も確保されやすくなる。
【００４６】
中央弾性部材には、ポリウレタン糸、ポリウレタンフィルム、天然ゴム等の通常吸収性物品に用いられる弾性伸縮材料を用いることができる。中央弾性部材は、伸張状態で、ホットメルト接着剤等の接着剤で取り付けられることが好ましい。例えば、繊度４０〜１，２４０ｄｔｅｘのポリウレタン糸を、倍率１．１〜５．０倍に伸張して配設し、固定する。接合手段としては、好ましくは、ゴム系のホットメルト接着剤が用いられる。なお、前記倍率は、非伸張状態を１．０倍とする。以下に説明する様々な弾性部材についても同様である。
【００４７】
本発明の吸収性物品には、吸収性コアの幅方向の外縁よりも外方にさらに別の弾性部材が設けられることが好ましい。なお本発明において、当該弾性部材を「側方弾性部材」と称する。側方弾性部材は、少なくとも一部が吸収性コアの幅方向の外縁よりも外方に位置するように設けられればよい。側方弾性部材を設けることにより、吸収性物品を着用の際に、吸収性コアの幅方向の両端部が着用者の肌に当たりやすくなり、尿等の横漏れを防ぎやすくなる。また、側方弾性部材は、少なくとも一部が吸収性コアと重ならないように設けられるため、側方弾性部材の収縮力が好適に発揮されるようになる。
【００４８】
側方弾性部材は、前後方向に延びるように設けられることが好ましい。また、側方弾性部材は、前後方向に対して、中央弾性部材と重なる位置に設けられることが好ましい。側方弾性部材の本数は特に限定されず、例えば、吸収性コアの幅方向の両側にそれぞれ１本〜４本設けられることが好ましい。後述するように、吸収性物品に立ち上がりフラップが設けられる場合は、側方弾性部材は立ち上がりフラップの立ち上がりの起点となる基部よりも幅方向の内方に設けられることが好ましい。
【００４９】
側方弾性部材は、前後端部の少なくとも一方が吸収性コアと重なるように設けられることが好ましく、前後端部の両方が吸収性コアと重なるように設けられることがより好ましい。この場合、吸収性コアが砂時計形状に形成されることが好ましい。すなわち、吸収性コアは、前後方向に前方部と後方部とこれらの間の中間部を有し、前方部と後方部が中間部よりも幅広に形成され、側方弾性部材は、吸収性コアの前方部と後方部と重なり、吸収性コアの中間部と重ならないように設けられることが好ましい。このように設けられた側方弾性部材は、吸収性コアの前方部と後方部を近付けるように作用する。また、側方弾性部材が吸収性コアの中間部と重ならないように配されることにより、側方弾性部材の収縮力が好適に発揮されるようになる。その結果、吸収性コアの着用者の股間へのフィット性が高められ、尿等の横漏れが起こりにくくなる。
【００５０】
側方弾性部材は、中央弾性部材よりも前後方向に短い長さで設けられることが好ましい。このように側方弾性部材が設けられれば、吸収性コアの前方部と後方部で幅方向の両端部が歪みにくくなる。そのため、吸収性物品を着用の際に、吸収性コアを着用者の腹部や背部にフラットな状態で当てやすくなり、尿等の腹部や背部からの漏れを防止しやすくなる。側方弾性部材と中央弾性部材は、より好ましくは、中央弾性部材が、側方弾性部材よりも前方に延在するとともに、後方に延在するように設けられる。
【００５１】
側方弾性部材は、開口または凹部に対しては、開口または凹部の前側端よりも前方に延在する、および／または、開口または凹部の後側端よりも後方に延在するように設けられることが好ましい。より好ましくは、側方弾性部材は、開口または凹部の前側端よりも前方に延在するとともに、開口または凹部の後側端よりも後方に延在するように設けられる。このように側方弾性部材を設けることにより、尿等の横漏れを防ぎやすくなる。すなわち、開口または凹部では、吸収性コアと着用者の肌との間に隙間ができ、横漏れの原因となりやすいところ、開口または凹部の前側端よりも前方および／または後側端よりも後方に延在するように側方弾性部材を設けることにより、吸収性コアと着用者の肌の間の隙間を通って横漏れすることが起こりにくくなる。
【００５２】
側方弾性部材は、中央弾性部材よりも強い収縮力で設けられることが好ましい。このように側方弾性部材と中央弾性部材が設けられていれば、吸収性物品を着用した際、吸収性コアは、幅方向の中央部よりも両端部が着用者の肌の近くに配され、あるいは、幅方向の中央部よりも両端部が着用者の肌に強く当てられ、着用者からの尿等を好適に受けやすくなるとともに、尿等の横漏れが起こりにくくなる。
【００５３】
各弾性部材の収縮力は、次のように測定する。すなわち、吸収性物品に取り付けられた弾性部材を伸張させて、吸収性物品を完全に広げた状態で、弾性部材の伸張長さＬを測定し、次いで、当該弾性部材を吸収性物品から取り外して長さＬまで伸ばしたときの収縮力を測定することにより、弾性部材の収縮力を求める。側方弾性部材または中央弾性部材が、吸収性コアの幅方向の一方側において複数本設けられている場合は、複数本の弾性部材の収縮力を求める。
【００５４】
側方弾性部材は、吸収性物品を平面視した状態で、少なくとも一部が吸収性コアの幅方向の外縁よりも外方に位置するように設けられる限り、吸収性物品の厚み方向に対する位置は特に限定されない。側方弾性部材の一部が吸収性コアと重なるように設けられる場合は、側方弾性部材は、吸収性コアよりも肌面側に設けられてもよく、吸収性コアよりも外面側に設けられてもよく、吸収性コアの中（例えば、上側吸収層と下側吸収層の間）に設けられてもよい。なお、側方弾性部材の一部が吸収性コアと重なるように設けられる場合は、側方弾性部材は吸収性コアよりも外面側に設けられることが好ましく、これにより、吸収性コアの肌面側の歪みを抑えて、吸収性物品の着用感を向上させることができる。この場合、側方弾性部材は、吸収性コアよりも外面側に設けられたシート部材（例えば、バックシートや、バックシートと吸収性コアの間に設けられる任意のシート部材、バックシートよりも外面側に設けられる任意のシート部材等）に取り付けられることが好ましい。
【００５５】
吸収性物品には、トップシートの幅方向の両側に立ち上がりフラップが設けられることが好ましい。立ち上がりフラップにより、尿等の横漏れが防止される。立ち上がりフラップは、前後方向に延びるように設けられることが好ましい。立ち上がりフラップは、例えば、トップシートの幅方向の両側に、前後方向に延在するサイドシートを接合し、サイドシートの幅方向の内方部に弾性部材を設けることにより形成される。このようにサイドシートと弾性部材を設けることにより、弾性部材の収縮力によりサイドシートの幅方向の内方部が着用者の肌に向かって立ち上がり、立ち上がりフラップが形成される。立ち上がりフラップまたはサイドシートは、液不透過性のプラスチックフィルムや液不透過性の不織布等により構成されることが好ましい。
【００５６】
吸収性物品に立ち上がりフラップが設けられる場合、側方弾性部材は、立ち上がりフラップの立ち上がりの起点となる基部よりも幅方向の内方に設けられ、かつ基部よりも吸収性コアの近くに設けられることが好ましい。詳細には、側方弾性部材は、立ち上がりフラップの基部よりも幅方向の内方に設けられ、かつ吸収性コアの中間部において、基部よりも吸収性コアの近くに設けられることが好ましい。このように側方弾性部材が設けられれば、立ち上がりフラップの立ち上がりが側方弾性部材によって邪魔されにくくなり、立ち上がりフラップが着用者の肌に向かって真っ直ぐ立ち上がりやすくなる。そのため、側方弾性部材の収縮力によって吸収性コアの幅方向の両端部が着用者の肌に当たりやすくなることと相まって、尿等の横漏れ防止効果がさらに高められる。
【００５７】
なお吸収性物品には、立ち上がりフラップの基部よりも幅方向の外方に、さらに別の弾性部材として、前後方向に延びる脚周り弾性部材が設けられてもよい。脚周り弾性部材を設けることにより、着用者の脚周りのフィット性が高められ、尿等の横漏れを防止しやすくなる。
【００５８】
本発明の吸収性物品は、別体の吸収性物品（以下、別体の吸収性物品を「補助吸収体」と称する）を載せて使用することもできる。本発明の吸収性物品は、上記に説明したように、吸収性物品を着用の際に着用者の股間で幅方向に大きく窪みにくくなるため、補助吸収体を吸収性物品の上に安定して配置しやすくなる。また、吸収性物品が適度に幅方向に窪んだ形状をとりやすくなるため、補助吸収体の使用後に補助吸収体を吸収性物品から取り外すことが容易になる。
【００５９】
吸収性物品には、上記に説明した立ち上がりフラップの幅方向の内方に、さらに別のフラップが設けられてもよい。なお本発明において、当該フラップを「中央フラップ」と称する。中央フラップは、幅方向の一方側の立ち上がりフラップと他方側の立ち上がりフラップの間に、前後方向に延びるように一対設けられ、幅方向の外方に傾倒するように形成されていることが好ましい。吸収性物品にこのように中央フラップを設けることにより、その上に補助吸収体を載せて使用することが可能となる。この場合、中央フラップの上に載せられた補助吸収体は、着用者の肌に近付くように持ち上げられ、着用者から排泄された尿等を補助吸収体で好適に受けることが可能となる。
【００６０】
中央フラップは、例えば、トップシートの上にセンターシートを配し、センターシートの幅方向の中央部をトップシートに接合し、センターシートの幅方向の両端部に弾性部材を設けることにより形成することができる。あるいは、トップシートの幅方向の両側に右側センターシートと左側センターシートを配し、右側センターシートと左側センターシートの幅方向の内方部をトップシートに接合し、外方部に弾性部材を設けることにより形成することができる。中央フラップは、液透過性であっても液不透過性であってもよく、従って、センターシート（左側センターシートと右側センターシートを含む）には、トップシートやバックシートに使用可能なシート材料を用いることができる。なお、中央フラップあるいはセンターシートは液透過性であることが好ましく、これにより、補助吸収体が受けた尿等が補助吸収体から溢れて中央フラップの上に移行しても、尿等が中央フラップやセンターシートを透過して、吸収性コアに好適に吸収させることができる。吸収性物品に中央フラップが設けられる場合は、上記に説明した中央弾性部材はセンターシートに取り付けられてもよい。
【００６１】
次に、本発明の吸収性物品の構成例について、図面を参照して説明する。図面では、吸収性物品としてオープンタイプ（テープタイプ）の使い捨ておむつが示されている。なお本発明は、図面に示された実施態様に限定されるものではない。
【００６２】
図１および図２には、本発明の吸収性物品の一例を示した。図１は、吸収性物品としてオープンタイプの使い捨ておむつを肌面側から見た平面図を表し、図２は、図１に示した吸収性物品のＩＩ−ＩＩ断面図を表す。本願の図では、矢印ｘが幅方向、矢印ｙが前後方向を表し、矢印ｘ，ｙにより形成される面に対して垂直方向が厚み方向ｚを表す。なお図１では、図面の上側が吸収性物品の前側に相当し、図面の下側が吸収性物品の後側に相当する。
【００６３】
吸収性物品１（１Ａ）は、トップシート２とバックシート３とこれらの間に設けられた吸収性コア４とを有する。トップシート２を透過した排泄物は、吸収性コア４により収容される。バックシート３は吸収性コア４の外面側に設けられ、排泄物が外部へ漏れるのを防いでいる。
【００６４】
吸収性物品１Ａでは、吸収性コア４は砂時計形に形成されている。すなわち、吸収性コア４は、前後方向ｙに前方部と後方部とこれらの間の中間部を有し、前方部と後方部が中間部よりも幅広に形成されている。
【００６５】
トップシート２の幅方向ｘの両側には、前後方向ｙに延在する一対のサイドシート１０が設けられている。サイドシート１０はトップシート２に接合され、幅方向ｘの内方部に弾性部材９が設けられている。サイドシート１０は、弾性部材９の収縮力によりサイドシート１０の内方部が着用者の肌に向かって立ち上がり、これにより立ち上がりフラップ８が形成される。
【００６６】
吸収性物品１Ａの前後方向ｙの後側部には、左右側端部に止着部材１６が取り付けられている。止着部材１６は基材シート１７に留め具１８が設けられて構成されている。吸収性物品１Ａは、着用者の股間に当てて、止着部材１６の留め具１８を吸収性物品１Ａの前側部の外側面に接合することで、装着することができる。留め具１８としては、フック・ループ・ファスナーのフック部材や粘着剤を採用することができる。
【００６７】
吸収性コア４には、幅方向ｘの中央部に前後方向ｙに延びる開口５が形成され、開口５の幅方向ｘの両側の外縁に沿って、吸収性コア４と重なって前後方向ｙに延びる中央弾性部材６が設けられている。吸収性物品１Ａは、吸収性コア４の幅方向ｘの中央部に前後方向ｙに延びる開口５が形成されているため、着用者の股間で幅方向ｘに窪んだ形状に形成され、着用者から排泄された尿等を好適に受けることができる。そして、開口５の幅方向ｘの両側の外縁に沿って、吸収性コア４と重なって前後方向ｙに延びる中央弾性部材６が設けられることにより、吸収性コア４に尿等が吸収されても、吸収性コア４が着用者の股間で大きく窪みにくくなり、吸収性コア４における尿等の拡散性を確保することができる。そのため、吸収性物品１Ａが着用者からの尿等を複数回にわたって受けても、尿等の吸収性能を高く維持することが可能となる。
【００６８】
中央弾性部材６は、吸収性コア４よりも肌面側に設けられることが好ましい。吸収性物品１Ａでは、図２に示すように、中央弾性部材６が、トップシート２と吸収性コア４の間に配され、接着剤等によりトップシート２に取り付けられている。このように中央弾性部材６を設けることにより、中央弾性部材６によって開口５の幅方向ｘの外縁が明確に形成されやすくなり、尿等の前後方向ｙへの拡散性を高めることができる。
【００６９】
吸収性物品１Ａでは、中央弾性部材６が、開口５の前側端よりも前方に延在するとともに、開口５の後側端よりも後方に延在している。このように中央弾性部材６を設けることにより、開口５で尿等が前後方向ｙに拡散しやすくなる。また吸収性コア４は、前後方向ｙの広範囲にわたって開口５で大きく窪みにくくなり、幅方向ｘへの拡散性も確保されやすくなる。
【００７０】
吸収性物品１Ａでは、吸収性コア４の幅方向ｘの外縁よりも外方に、さらに側方弾性部材７が設けられている。側方弾性部材７を設けることにより、吸収性物品１Ａを着用の際、吸収性コア４の幅方向ｘの両端部が着用者の肌に当たりやすくなり、尿等の横漏れを防ぎやすくなる。なお、側方弾性部材７は、中央弾性部材６よりも強い収縮力で設けられることが好ましく、これにより、吸収性コア４が、幅方向ｘの中央部よりも両端部が着用者の肌の近くに配され、あるいは、幅方向ｘの中央部よりも両端部が着用者の肌に強く当てられ、尿等の横漏れが起こりにくくなる。
【００７１】
側方弾性部材７は、吸収性コア４が砂時計形状に形成される場合、すなわち吸収性コア４の前方部と後方部がそれらの間の中間部よりも幅広に形成される場合は、吸収性コア４の前方部と後方部と重なり、中間部と重ならないように設けられることが好ましい。このように側方弾性部材７を設けることにより、吸収性コア４の前方部と後方部が近付くように形成され、吸収性コア４の着用者の股間へのフィット性が高まる。
【００７２】
側方弾性部材７は、中央弾性部材６よりも前後方向ｙに短い長さで設けられることが好ましい。このように側方弾性部材７が設けられれば、吸収性コア４の前方部と後方部で幅方向ｘの両端部が歪みにくくなる。そのため、吸収性物品１Ａを着用の際に、吸収性コア４を着用者の腹部や背部にフラットな状態で当てやすくなり、尿等の腹部や背部からの漏れを防止しやすくなる。
【００７３】
側方弾性部材７は、立ち上がりフラップ８の立ち上がりの起点となる基部８Ｂよりも幅方向ｘの内方に設けられ、かつ基部８Ｂよりも吸収性コア４の近くに設けられることが好ましい。このように側方弾性部材７が設けられれば、立ち上がりフラップ８の立ち上がりが側方弾性部材７によって邪魔されにくくなり、立ち上がりフラップ８が着用者の肌に向かって真っ直ぐ立ち上がりやすくなる。そのため、側方弾性部材７の収縮力によって吸収性コア４の幅方向ｘの両端部が着用者の肌に当たりやすくなることと相まって、尿等の横漏れ防止効果がさらに高められる。
【００７４】
吸収性物品１Ａには、立ち上がりフラップ８の基部８Ｂよりも幅方向ｘの外方に、さらに脚周り弾性部材１１が設けられている。脚周り弾性部材１１を設けることにより、着用者の脚周りのフィット性が高められ、尿等の横漏れを防止しやすくなる。
【００７５】
吸収性物品１Ａの前後方向ｙの端部には、幅方向ｘに延びるウェスト用弾性部材１５が設けられている。ウェスト用弾性部材１５により着用者の腰周りに沿ったウェストギャザーが形成され、腹部や背部からの尿等の漏れが防止される。
【００７６】
次に、本発明の吸収性物品の他の構成例について説明する。図３は、吸収性物品としてオープンタイプの使い捨ておむつを肌面側から見た平面図を表し、図４は、図３に示した吸収性物品のＩＶ−ＩＶ断面図を表す。なお、下記の説明において、上記の説明と重複する部分の説明を省略する。
【００７７】
図３および図４に示した吸収性物品１（１Ｂ）では、トップシート２の幅方向ｘの両側に設けられた立ち上がりフラップ８の間に、一対の中央フラップ１２が設けられている。中央フラップ１２は、幅方向ｘの一方側と他方側に、幅方向ｘの外方に傾倒するように形成されている。図面では、トップシート２の上にセンターシート１４が配され、センターシート１４の幅方向ｘの中央部をトップシート２に接合し、センターシート１４の幅方向ｘの両端部に弾性部材１３を設けることにより、中央フラップ１２が形成されている。
【００７８】
吸収性物品１Ｂは、中央フラップ１２の上に補助吸収体を載せて、好適に用いることができる。中央フラップ１２の上に載せられた補助吸収体は、中央フラップ１２によって着用者の肌に向かって持ち上げられ、着用者から排泄された尿等を補助吸収体で好適に受けることができる。この際、補助吸収体は、幅方向ｘの外方に傾倒して立ち上がるように形成された中央フラップ１２によって、幅方向ｘの断面が凹状に形成されやすくなり、補助吸収体から尿等が溢れにくくなる。
【００７９】
吸収性物品１Ｂでは、中央弾性部材６が、トップシート２とセンターシート１４の間に配され、接着剤等によりセンターシート１４に取り付けられている。中央弾性部材６はこのように設けられていてもよい。なお、中央フラップ１２が設けられる場合、中央弾性部材６は、中央フラップ１２の立ち上がりの起点となる基部１２Ｂよりも幅方向ｘの内方に配されることが好ましく、これにより中央フラップ１２の全体が着用者の肌に近付くように形成されやすくなる。その結果、中央フラップ１２の上に載せた補助吸収体も着用者の肌の近くに配置することが可能となる。
【００８０】
以上、本発明の吸収性物品の構成例について説明したが、本発明の吸収性物品は上記の構成例に様々な変形を加えることができる。例えば、吸収性コア４には、開口５の代わりに凹部を形成してもよい。
【符号の説明】
【００８１】
１，１Ａ，１Ｂ：  吸収性物品
２：  トップシート
３：  バックシート
４：  吸収性コア
５：  開口
６：  中央弾性部材
７：  側方弾性部材
８：  立ち上がりフラップ
１１：  脚周り弾性部材
１２：  中央フラップ
１５：  ウェスト弾性部材
【図１】
0006603519.tif 000002
【図２】
0006603519.tif 000003
【図３】
0006603519.tif 000004
【図４】
0006603519.tif 000005